(57)【要約】【課題】合鍵の構造如何を問わず、鍵穴に対する合鍵のブレードの挿入角度が多少大雑把であっても、或いはブレードの挿入角度に拘らず、ブレードの先端部を容易に鍵穴の先端挿入口の縁部分に嵌め合せることができること。【解決手段】合鍵のブレードを内筒体の鍵穴に差し込んだ時、ブレードに形成されたキーコードと内筒体の回転軸と直交する軸直角断面上に位置するダンブラーとが一致するシリンダー錠に於いて、鍵穴の先端挿入口の縁部分の少なくとも左右・上下の内径はブレードの先端部の左右・上下の外径よりも大きく、また先端挿入口の縁部分よりも奥に鍵穴本体が設けられ、この鍵穴本体の受入口の縁部分と先端挿入口の縁部分の間の合鍵内周面にブレードの先端部を受入口へと誘導する案内面が形成されているシリンダー錠。【選択図】図１１
2014181488.tif 000002
【特許請求の範囲】
【請求項１】
合鍵のブレードを内筒体の鍵穴に差し込んだ時、前記ブレードに形成されたキーコードと前記内筒体の回転軸と直交する軸直角断面上に位置するダンブラーとが一致するシリンダー錠に於いて、前記鍵穴の先端挿入口の縁部分の少なくとも左右・上下の内径は、前記ブレードの先端部の左右・上下の外径よりも大きく、また、前記先端挿入口の縁部分よりも奥に相当する先端部又は中央部のいずれかに前記ブレードを前記キーコードとダンブラーとが一致する位置へと受け入れる鍵穴本体の受入口が設けられ、この受入口の縁部分と前記先端挿入口の縁部分の間の鍵穴内周壁に、前記ブレードの先端部を前記受入口へと誘導する案内面が形成されているシリンダー錠。
【請求項２】
請求項１に於いて、ブレードの先端部を受入口へと誘導する案内面に該ブレードに回転力を付与する突起状補正部分が設けられていることを特徴とするシリンダー錠。
【請求項３】
請求項１に於いて、鍵穴の先端挿入口の縁部分よりも前方には、すり鉢形状の環状内周面が連設形成されていることを特徴とするシリンダー錠。
【発明の詳細な説明】
【技術分野】
【０００１】
本発明はシリンダー錠に関し、特に内筒体の鍵穴に対する挿入時、合鍵のブレードの挿入角度が左右に傾いても、或いはブレードの挿入角度に拘らず、ブレードの先端部を容易に鍵穴の先端挿入口の縁部分に嵌め合せることができるシリンダー錠に関する。
【背景技術】
【０００２】
特許文献１は、鍵穴に対する挿入時における合鍵の操作性を考慮し、鍵（キー）側の工夫を施したものである。また特許文献２も、特許文献１と同様である。したがって、鍵（キー）が、摘み部分と、該摘み部分に回動可能に設けられたブレード（キー本体）とから成る事項は、既に公知である。
【０００３】
ところで、現在、鍵（キー）側に、あまり工夫を施さないで、錠側に工夫を施して挿入時の操作性の向上を図ることが期待されている。特に、合鍵の構造如何を問わず、バリヤーフリーの観点から、内筒体の鍵穴に対する合鍵のブレードの挿入角度が多少大雑把であっても、容易にブレードの先端部を鍵穴に嵌め合せることができる錠前が要望されている。
【先行技術文献】
【特許文献】
【０００４】
【特許文献１】特開２００７−１６２２３０号公報
【特許文献２】特開２０１２−１７２４５６号公報
【発明の概要】
【発明が解決しようとする課題】
【０００５】
本発明の所期の目的は、合鍵の構造如何を問わず、鍵穴に対する合鍵のブレードの挿入角度が多少大雑把であっても、或いはブレードの挿入角度に拘らず、ブレードの先端部を容易に鍵穴の先端挿入口の縁部分に嵌め合せることができることである。第２の目的は、摘み部分を押し込むと、ブレードの先端部はスムースに鍵穴本体の受入口に一致することである。第３の目的は、ブレードの断面形状に対応してリバーシブルの機能を生かすことである。その他の目的は、特許文献１や特許文献２の如く、合鍵を複雑な構造にしなくても、合鍵の挿入時の操作性が良くなること、挿入時の操作性の向上を図りながら鍵違いを増やすことなどである。
【課題を解決するための手段】
【０００６】
本発明のシリンダー錠は、合鍵のブレードを内筒体の鍵穴に差し込んだ時、前記ブレードに形成されたキーコードと前記内筒体の回転軸と直交する軸直角断面上に位置するダンブラーとが一致するシリンダー錠に於いて、前記鍵穴の先端挿入口の縁部分の少なくとも左右・上下の内径（幅）は、前記ブレードの先端部の左右・上下の外径（幅）よりも大きく、また、前記先端挿入口の縁部分よりも奥に相当する先端部又は中央部のいずれかに前記ブレードを前記キーコードとダンブラーとが一致する位置へと受け入れる鍵穴本体の受入口が設けられ、この受入口の縁部分と前記先端挿入口の縁部分の間の鍵穴内周壁に、前記ブレードの先端部を前記受入口へと誘導する案内面が形成されていることを特徴とする。
【０００７】
上記構成に於いて、ブレードの先端部を受入口へと誘導する案内面に該ブレードに回転力を付与する突起状の補正部分が設けられていることを特徴とする。また、鍵穴の先端挿入口の縁部分よりも前方には、すり鉢形状の環状内周面が連設形成されていることを特徴とする。  
【発明の効果】
【０００８】
（ａ）請求項１に記載の発明は、鍵穴の先端挿入口の縁部分の少なくとも左右・上下の内径（幅）は、前記ブレードの先端部の左右・上下の外径（幅）よりも大きく、また、前記先端挿入口の縁部分よりも奥に相当する先端部又は中央部のいずれかに前記ブレードを前記キーコードとダンブラーとが一致する位置へと受け入れる鍵穴本体が設けられ、この鍵穴本体の受入口の縁部分と前記先端挿入口の縁部分の間の鍵穴内周壁に、前記ブレードの先端部を前記受入口へと誘導する案内面が形成されているので、合鍵の構造如何を問わず、鍵穴に対する合鍵のブレードの挿入角度が多少大雑把であっても、或いはブレードの挿入角度に拘らず、ブレードの先端部を容易に鍵穴の先端挿入口の縁部分に嵌め合せることができる。
（ｂ）請求項２に記載の各発明は、ブレードの先端部を受入口へと誘導する案内面に該ブレードに回転力を付与する突起状の補正部分が設けられているので、摘み部分を押し込むと、ブレードの先端部はスムースに鍵穴本体の受入口に一致する。
（ｃ）請求項３記載の発明は、より一層、容易にブレードの先端部を鍵穴の先端挿入口に合わせることができる。
【図面の簡単な説明】
【０００９】
図１乃至図６は本発明の第１実施形態を示す各説明図。図７至図１６は本発明の第２実施形態を示す各説明図。図１７乃至図１９は本発明の第３実施形態を示す各説明図
【図１】錠前Ｘと合鍵Ｙを示す斜視図。
【図２】錠前Ｘの正面視からの概略説明図。
【図３】錠前Ｘの中央部における内筒体の回転軸に対して直交する軸直角方向の概略断面説明図。
【図４】錠前Ｘの軸方向の概略断面説明図。
【図５】鍵穴の挿入口の縁部分と合鍵のブレードの外径の寸法差を示す正面視からの概略説明図。
【図６】鍵穴の挿入口部と中央部（中央部寄りの部位も含む）と後端部(奥部)の内径と合鍵のブレードの外径の寸法差を示す概略説明図。
【図７】第２実施形態の図１と同様の斜視図。
【図８】合鍵Ｙの一例を示す斜視図。
【図９】（ａ）と（ｂ）は内筒体の回転軸に対して直交する軸直角方向の概略断面説明図であるが、それぞれ断面位置が相違する。
【図１０】図４と同様の概略断面説明図（便宜上、ダンブラーを全て実線で示す）。
【図１１】錠前Ｘ１の先端部（特徴部分）を示す説明図。
【図１２】錠前Ｘ１の正面視からの説明図。
【図１３】（ａ）は鍵穴の先端挿入口の幅とブレードの外径の寸法差を示す正面視からの概略説明図。（ｂ）は鍵穴の先端挿入口の幅と鍵穴本体の受入口の大きさを示す概略説明図。
【図１４】ブレードを鍵穴に挿入ないし挿入した場合に説明図（断面はブレード）。
【図１５】鍵穴本体の受入口（実線）と鍵穴の先端挿入口（仮想線）を示す概略断面説明図。
【図１６】内筒体側の係合ピンと４回転対称のブレードの窪みとの整合性を示す説明図。
【図１７】第３実施形態の錠前Ｘ２の先端部（特徴部分）を示す説明図。
【図１８】錠前Ｘ２の正面視からの説明図。
【図１９】鍵穴本体の受入口（実線）と鍵穴の先端挿入口（仮想線）と突起状補正部分（仮想線）を示す概略断面説明図。
【発明を実施するための最良の形態】
【００１０】
図１乃至図６は、本発明の第１実施形態の各説明図である。図１は本発明の錠前Ｘ（以下、「錠本体Ｘ」ともいう。）と合鍵（以下、ここでは「鍵本体Ｙ」ともいう。）を示す斜視図である。ここで、まず、鍵本体Ｙの構成を簡単に説明する。鍵本体Ｙは、摘み部分１と、該摘み部分１にその基端部が連設する長板状のブレード（差し込み部分）２とから成り、前記長板状ブレードの一側上面及び下面には、反転角度（１８０度）で回転対称となる位置に同一形状及び深さの窪み３が形成されている。もちろん、前記窪み３はキーコードの一例であり、説明の便宜上簡略的に説明している。キーコード３は、リバーシブルであれば側面に形成された大小の刻みや窪みであっても良い。なお、実施形態のキーコード３は、開口が大きくて凹所が深い窪み３ａと、開口が小さくて凹所が浅い窪み３ｂとから成る。
【００１１】
さて、普通一般に「ピンタンブラー錠」或いは「シリンダー錠」と称される錠前は、外筒体と該外筒体の内側に回動可能に配置される内筒体と、該内筒体を通じて複数のピン孔が穿設され、当該複数のピン孔に収容されたピンとドライバーとの境界を内筒体と外筒体との境界に一致させることにより、内筒体の外筒体に対する相対回転を許容する。
【００１２】
そこで、図２、図３及び図４を参照にして、本実施形態の錠本体Ｘの基本的構造を説明する。本実施形態の錠本体Ｘも、鍵本体Ｙのブレード２を内筒体１２の鍵穴１３に完全に差し込んだ時、前記ブレード２に形成されたキーコード３としての窪みや刻みと前記内筒体１２の回転軸Ｏと直交する軸直角断面上に位置するダンブラー２０とが一致するシリンダー錠である点で、従来の錠前と基本的な構造は変わらない。
【００１３】
しかしながら、本発明の第１実施形態は、鍵穴１３に対するブレードの挿入角度が多少大雑把であっても（例えば図５で示すようにブレードが左右に傾いても）、ブレード２の先端部２ａが鍵穴１３の先端部の内周壁に形成された案内面１３ａに誘導された後、合鍵（鍵本体）Ｙを鍵穴１３の奥まで完全に差し込むことができることを目的にしているので、錠本体Ｘの鍵穴１３の種類、大きさ、案内面等に特徴がある。
【００１４】
すなわち、本発明の特徴事項を説明すると、鍵穴１３は、先端部の内周壁に案内面１３ａを有する誘導穴１３Ａと、この誘導穴１３Ａの後端に直ぐに或いは多少離間して連通する鍵穴本体１３Ｂとから成り、鍵穴１３の先端挿入口の縁部分ａの少なくとも左右・上下の内径（幅）Ｗ１、Ｗ２は、鍵本体Ｙのブレード２の先端部２ａの左右・上下の外径（幅）Ｋ１、Ｋ２よりも大きい（特徴点１）。
【００１５】
また、前記先端挿入口の縁部分ａよりも奥に相当する先端部又は中央部のいずれかに前記ブレード２をキーコード３とダンブラー２０とが一致する位置へと受け入れる前記鍵穴本体１３Ｂが設けられている（特徴点２）。
【００１６】
さらに、この鍵穴本体１３Ｂの受入口の縁部分ｂと前記先端挿入口の縁部分ａの間の鍵穴内周壁に、前記ブレード２の先端部２ａを前記受入口へと誘導する絞り込み状の案内面１３ａが形成されている（特徴点３）。
【００１７】
そして、前記案内面１３ａは、第１実施形態では、鍵穴１３の先端挿入口の縁部分ａから鍵穴本体１３Ｂの受入口の縁部分ｂに至るにしたがって、次第に左右・上下の幅が狭くなっている。
【００１８】
ここで、図５と図６を参照にして説明する。まず、図５は、鍵穴１３の、先端部（挿入口の縁部分）ａと合鍵Ｙのブレード２の外径の寸法差を示す正面視からの概略説明図である（便宜上、挿入口の幅はブレード２の外径よりも大きく示してある）。内筒１２には、その回転軸に沿って、誘導穴１３Ａと該誘導穴１３Ａの連通する鍵穴本体１３Ｂとから成る鍵穴１３が形成され、本実施形態ではブレード２が多少斜め右下がりになっても、又は多少斜め左下がりになっても、ブレード２の先端部（断面で示した部分）２ａの外周面は鍵穴１３の先端挿入口の縁部分ａとの間に十分な寸法差（間隙）が設定されている。そして、前記鍵穴１３の誘導穴１３Ａは、実施形態では、鍵穴１３の前記先端挿入口の縁部分ａから中央部の受入口の縁部分ｂまで、その内周面１３ａの内径が鍵本体Ｙの断面形状に対応して徐々に小さくなっている。
【００１９】
付言すると、実施形態の鍵穴１３の側面形状は、鍵本体Ｙの断面形状に対応して、左右の短尺巾側面と上下の長尺巾側面とを有する横長の非正多角形状に形成されが、前記左右及び上下の側面は、中央部に向かって次第に均等割合で狭くなっている。
【００２０】
そして、中央部の受入口の縁部分ｂに至ると、今度は、中央部ｂから奥部ｃに至るまで、前記左右及び上下の側面でもって、少なくともブレード２の先端部（断面で示した部分）２ａを支持することができる同一幅になっている。実施形態では、合鍵（鍵本体）Ｙを鍵穴１３の奥まで完全に差し込むと、ブレード２は、少なくとも鍵穴１３の中央部（中央部寄りの部位も含む）ｂから後端部(奥部)ｃまでの左右及び上下の側面によって揺れないように支持される。
【００２１】
次に図６は、鍵穴１３の、先端（挿入口）の縁部分ａと中央部（実施形態では中央部寄りの部位）の受入口の縁部分ｂと後端部(奥部)ｃの各内径（幅）Ｗ１、Ｗ２と合鍵（鍵本体）Ｙのブレード２の外径（大きさ）Ｋ１、Ｋ２の寸法差を示す判り易く示したものである。
【００２２】
図６から明らかなように、錠本体Ｘの内筒体１２の鍵穴１３の先端挿入口の縁部分ａの左右・上下の内径（幅）Ｗ１、Ｗ２は、鍵本体Ｙのブレード２の面取りされた先端部２ａが余裕をもって遊嵌合する大きさであり、一方、前記鍵穴１３の少なくとも鍵穴本体１３Ｂの受入口の縁部分ｂの内径（幅）は、前記先端挿入口の縁部分ａの内径（幅）Ｗ１、Ｗ２よりも小さいので、鍵穴１３に対する挿入角度が多少大雑把であっても、つまり、合鍵Ｙの摘み部分１をもってブレード２が右下がり状態に若干傾いても、ブレード２の先端部２ａを先端（挿入口）の縁部分ａ内に余裕をもって嵌め合せることができる。
【００２３】
そこで、ブレード２の先端部２ａを鍵穴１３に差込む場合には、摘み部分を持ってブレード２の先端部２ａを鍵穴１３の先端挿入口に合わせるようにする。この時、前述したようにブレード２は前記先端挿入口に対して多少傾倒しても良い。そして、ブレード２の先端部２ａを鍵穴１３の先端挿入口に嵌め合せたならば、鍵穴１３の先端部の案内面１３ａは、中央部（中央部寄りの部位も含む）の鍵穴本体１３Ｂの受入口の縁部分ｂに向かって徐々に絞りこまれているので、今仮に摘み部分１をもって押し込むと、ブレード２の先端部２ａは案内面１３ａに摺接状態で制御（補正）されるので、傾倒状態にあるブレード２は水平状態となり、スムースに鍵穴本体１３Ｂの受入口の縁部分ｂに至る。
【００２４】
そこで、さらに摘み部分１を押し込むと、ブレード２に形成されたキーコード３と内筒体１２の回転軸と直交する軸直角断面上に位置するダンブラー２０とが一致する。
【００２５】
なお、周知事項であるが、念のために、例えば図４を参照にして、付勢バネ１９、ダンブラー２０等の構成を説明する。ダンブラー２０は、係合ピン１７とドライバー１８とから成る。前記係合ピン１７は、貫通孔１６内で摺動可能な係合先端部分を有する軸部１７ａと、該軸部１７ａの外方に連設し、かつドライバー１８に接触可能な係合鍔１７ｂとからなる。係合ピン１７は、付勢バネ１９の弾発力によって、通常はドライバー１８と共に内方（鍵穴方向）へ付勢されるが、ピン孔１５と貫通孔１６との段差部に係合鍔１７ｂが当接することにより、内方への移動が規制されている。したがって、ダンブラー２０は、内側の係合ピン１７と、外側のドライバー１８とで構成され、付勢バネ１９のバネ力により、前記係合ピン１７の半円弧状係合先端部分が常に所定量鍵穴１３に突出している。
【００２６】
ところで、図４で示すように、実施形態では、ダンブラー２０（ピン孔１４、１５）は、上方と下方にそれぞれ軸方向に一直線に複数並んで列を成しているが、上下の各ダンブラー２０は、リバーシブルを考えて、例えば錠本体（外筒１１と内筒１２）Ｘを半径方向に裁断した軸直角断面上にそれぞれ位置している。そして、上下の各ダンブラー２０の円弧状係合先端部分は、鍵本体Ｙを鍵穴１３に挿入した際には、窪み３の略中心を通る。つまり、内筒１２の回転軸と直交するダンブラー２０用のピン孔１４、１５の半径方向の軸線と合鍵としての鍵本体Ｙの窪み３の中心を通る軸線は完全に一致する。
【実施例】
【００２７】
第１実施形態では、鍵穴１３の誘導穴１３Ａの先端挿入口の縁部分ａが、内筒体１２の前面と略同一の垂直面上に位置しているが、後述する第２実施形態の場合と同様に、誘導穴１３Ａの先端挿入口の縁部分ａから外方向に環状に外拡するすり鉢形状の環状内周面を連設形成しても良い。また鍵穴本体１３Ｂの受入口の縁部分ｂは、鍵穴１３の中央部に位置しているが、第２実施形態と同様に鍵穴１３の先端部に位置するようにしても良い。また誘導穴１３Ａの先端挿入口の縁部分ａは、横長矩形状に形成されているが、例えば左右の部分が中心部よりも幅広の蝶ネクタイ形状に形成しても良い。さらに、本発明は鍵穴１３の形状・構造とブレードの外形形状との適合性が問題となるので、合鍵の構造如何は問わない。特に図示しないが、合鍵Ｙは、摘み部分１と、該摘み部分に回動可能に設けられたブレード２とから成り、前記摘み部分１とブレード２が挿入時に係合手段を介して一体的に係合するものであっても良い。
【００２８】
以下、この実施例の欄では、本発明の第２実施形態と第３実施形態を説明する。なお、説明の便宜上、第１実施形態或いは第２実施形態と同一の部分には、同一或いは同様の符号を付して重複する説明を割愛する。
【００２９】
まず図７至図１６は、本発明の第２実施形態を示す各説明図である。この第２実施形態に於いて、第１実施形態と主に異なる事項は、次のとおりである。
【００３０】
すなわち、（ａ）錠本体Ｘ１の誘導穴１３Ａの先端挿入口の縁部分ａが円形状に形成されている点。ここでの円形は真円形状、楕円形状のいずれであっても良い。この実施形態の前記先端挿入口の円形状縁部分ａは、例えば１２図で示すように、鍵穴の先端挿入口の縁部分の少なくとも左右・上下の内径（幅）は、鍵穴本体１３Ｂの受入口の縁部分ｂの内径（幅）よりも大きい。したがって、鍵穴本体１３Ｂの受入口の縁部分ｂの形状に対応する合鍵Ｙ１のブレード２Ａの断面形状と先端挿入口の円形状縁部分ａの形状との対比を示した図１３の（ａ）、（ｂ）を参照すると理解することができるように、この実施形態では、ブレード２Ａの挿入角度に拘らず、ブレード２Ａの先端部２ａを容易に鍵穴１３の先端挿入口の縁部分ａに嵌め合せることができる。付言すると、図１３の（ａ）の正面視で示すように、鍵穴１３の先端挿入口の縁部分ａの少なくとも左右・上下（横・縦）の内径（幅）Ｗ１、Ｗ２は、前記ブレード２Ａの先端部の左右・上下の外径（幅）Ｋ１、Ｋ２よりも大きく、挿入時、鍵穴１３の先端挿入口に対してブレード２Ａの一側面の位置を特定しなくても、３６０度の任意の位置でもって、ブレード２Ａの先端部２ａを前記先端挿入口の縁部分ａに嵌め合せることができる。
【００３１】
（ｂ）また鍵穴本体１３Ｂの受入口の縁部分ｂの形状が多角形状である点。この実施例形態では縦と横の内径が同一であることから、縁部分ｂの形状は４つの回転対称の多角形状であるが、該受入口の縁部分ｂの形状は、４つ角にアールを有しない正四角形状、又は４つ角にアールを有する八角形状のいずれであっても良い。もちろん、多角形状は、３つの回転対称の三角形状であっても良いし、さらに正四角形状や八角形状に限定されるものではない。それ故に、ブレード２Ａの先端部２ａを先端挿入口の縁部分ａに自由な角度で嵌め合せることができる。
【００３２】
（ｃ）また鍵穴本体１３Ｂの受入口の縁部分ｂが、鍵穴１３の先端部に位置している点。付言すると、誘導穴１３Ａが短くて鍵穴本体１３Ｂの受入口の縁部分ｂが先端挿入口の縁部分ａの近傍に存在している。
【００３３】
（ｄ）また上記ａ乃至ｃの特徴点に対応して、合鍵Ｙ１のブレード２Ａの外周形状も多角形状に形成されている。実施形態のブレード２Ａの断面形状は、図１６で示すとおりである。すなわち、前述したように、鍵穴１３の内周面の形状は、例えば長い幅面と短い幅面が交互に連続する非正多角形であり、この非正多角形の鍵穴の内周面に対応してブレード２Ａの軸直角断面の外周形状が非正多角形で、かつ少なくとも３回転対称に形成され、さらに、前記軸直角断面上における同一長さの長壁面又は短壁面のいずれかには、周方向に所定の回転角を有して、少なくとも合計３つ以上（実施形態では４つ）の同一条件の窪み３（３ａ、３ｂ）がそれぞれ形成されており、鍵本体Ｙ１の摘み部分１を任意に把持して該鍵本体Ｙ１の回転方向における任意の位置の、少なくとも３つ以上の差し込み角度パターンで前記ブレード２Ａを前記鍵穴１３の先端挿入口の円形状縁部分ａに「自由」に差込むことができる。そして、ブレード２Ａの先端部２ａを円形状縁部分ａに差し込むと、内側に若干絞り込まれた、少なくとも左右・上下の案内面１３ａに前記先端部２ａが案内され、摘み部分１をさらに押し込むと、ブレード２Ａの先端部２ａは案内面１３ａに制御（補正）されながらスムースに鍵穴本体１３Ｂの受入口の縁部分ｂに至る。そして、摘み部分１を所要量押し込むと、ブレード２Ａの窪み３は、必ず前記ダンブラー２０の複数の係合ピン１７Ａ、１７Ｂの先端部に対して一致し、以て、鍵本体Ｙ１と共に内筒体１２を解錠方向へ回動させることができる。なお、図１６は鍵本体Ｙ１の断面形状が「４つ」の回転対称であることから、鍵本体Ｙ１が「９０度」回転した角度で鍵穴１３の先端挿入口の円形状縁部分ａに差込んでも、前記回転対称の数に対応して鍵穴本体１３Ｂの内周面が適合する正多角形又は非正多角形に形成されていることを示している。
【００３４】
（ｅ）さらに、実施形態では、鍵違いの増大化を図るために、錠本体Ｘ１のダンブラー２０が、図９の（ａ）と（ｂ）で示すように、内筒体１２の回転軸方向に沿う二列以上のピンタンブラー群を構成する各係合ピン１７Ａ、１７Ｂが、互いに異なる位置の軸直角断面Ｖ１、Ｖ２上に位置すると共に、図１０で示すように回転方向にずれた位置に配設されている点。
【００３５】
（ｆ）加えて、合鍵の先端挿入口の縁部分ａよりも前方には、すり鉢形状の環状内周面２１が連設形成されている。
【００３６】
次に、図１７至図１９は本発明の第３実施形態を示す各説明図である。この第３実施形態は、前記第２実施形態を前提とするものであることから、第２実施形態と同一の符号を付して重複する説明を割愛する。
【００３７】
この第３実施形態が前記第２実施形態と異なる点は、合鍵の挿入時、該合鍵に強制的な回転力を付与するために工夫を凝らしたことである。
すなわち、ブレード２Ａの先端部２ａを錠本体Ｘ２の受入口ｂへと誘導する案内面１３ａに合鍵Ｙ１に回転力を付与する突起状の補正部分２５が設けられている。実施形態では、前記突起状補正部分２５は、図１７で示すように、誘導穴１３Ａの左右・上下の内周面にスクリュー状或いは波状に形成されている。突起状補正部分２５は、望ましくは内周壁の周方向に所定間隔を有して複数個（例えば４個）設けている。
【産業上の利用可能性】
【００３８】
本発明は、錠前や建具の分野で利用することができる。
【符号の説明】
【００３９】
Ｘ、Ｘ１、Ｘ２…錠本体、Ｙ、Ｙ１…鍵本体、１…摘み部、２、２Ａ…ブレード、２ａ…ブレードの先端部、３…窪み、３ａ…大きい窪み、３ｂ…小さい窪み、１１…外筒体、１２…内筒体、１３…鍵穴、１３ａ…先端部の内周壁に案内面、１３Ａ…誘導穴、ａ…先端挿入口の縁部分、１３Ｂ…鍵穴本体、ｂ…先端部又は中央部の受入口の縁部分、ｃ…鍵穴本体の奥部、１７…係合ピン、１９…付勢バネ、２０…ダンブラー、２１…すり鉢形状の環状内周面、２５…補正部分。
【図１】
2014181488.tif 000003
【図２】
2014181488.tif 000004
【図３】
2014181488.tif 000005
【図４】
2014181488.tif 000006
【図５】
2014181488.tif 000007
【図６】
2014181488.tif 000008
【図７】
2014181488.tif 000009
【図８】
2014181488.tif 000010
【図９】
2014181488.tif 000011
【図１０】
2014181488.tif 000012
【図１１】
2014181488.tif 000013
【図１２】
2014181488.tif 000014
【図１３】
2014181488.tif 000015
【図１４】
2014181488.tif 000016
【図１５】
2014181488.tif 000017
【図１６】
2014181488.tif 000018
【図１７】
2014181488.tif 000019
【図１８】
2014181488.tif 000020
【図１９】
2014181488.tif 000021